(57)【特許請求の範囲】
【請求項１】
シンボル図形の形状イメージや属性イメージをシンボル図形情報として保存すると共に当該シンボル図形のシンボルデータ名、更新日付、分類名、名称等のデータや属性情報をシンボル属性情報として保存するシンボルデータ保存手段と、
該シンボルデータ保存手段から前記シンボル図形情報を取込むシンボル図形情報取込手段と、
前記シンボルデータ保存手段から、前記シンボル属性情報を取込むシンボル属性情報取込手段と、
シンボル図形台帳枠を保存するシンボル図形台帳フォーマット保存手段と、
該シンボル図形台帳フォーマット保存手段から当該シンボル図形台帳枠を取込み、該シンボル図形台帳枠の各欄に前記シンボル図形情報取込手段からの前記シンボル図形情報を貼付けると共に、前記シンボル属性情報取込手段からの前記シンボル属性情報を書込むことによりシンボル図形台帳を生成するシンボル図形台帳合成手段と、
該シンボル図形台帳合成手段により生成された前記シンボル図形台帳を保存するシンボル図形台帳保存手段と、を備え、
前記形状イメージや属性イメージが画層を有すると共に、該画層に画層名が付与されて、前記シンボル図形情報取込手段により前記シンボル図形情報を取込む際には、選択された前記画層名をキーとして該当するシンボル図形情報を検索して取込むことを特徴とするＣＡＤシステムシンボル図形台帳管理ツール。
【請求項２】
新規格シンボル用の形状イメージと属性イメージの各画層から画層名を新規格シンボル用とした任意の画層名に設定して新規格シンボル図形情報として取込み、また旧規格シンボル用の形状イメージと属性イメージの各画層から画層名を旧規格シンボル用とした任意の画層名に設定して旧規格シンボル図形情報として取込むことで、新／旧規格シンボルデータ保存手段のシンボル図形情報を対比させたシンボル図形台帳を生成できるようにしたことを特徴とする請求項１記載のＣＡＤシステムシンボル図形台帳管理ツール。
【請求項３】
前記シンボル図形のシンボルデータ名及びその更新番号をシンボルデータ更新情報として保存するシンボルデータ更新情報保存手段と、前記シンボル図形が更新された場合には、旧シンボル図形台帳を保存する旧シンボル図形台帳保存手段と、前記シンボル属性情報取込手段から出力される前記シンボル属性情報のうち前記シンボルデータ名と更新番号とを取込で、当該シンボルデータ名を検索キーとして前記シンボルデータ更新情報保存手段に保存されているシンボルデータ更新情報を検索し、該当するシンボルデータ名が検出された場合にはその更新番号と前記シンボル属性情報から取込んだ前記更新番号とを比較して、当該シンボルデータが更新されたか否かを判断し、更新されたと判断した場合には前記シンボル図形台帳保存手段に保存されている該当するシンボル図形台帳を前記旧シンボル図形台帳保存手段に移動して保存させ、またシンボルデータ更新情報保存手段に更新された前記シンボルデータ更新情報を保存することによりシンボル図形の更新を監査するシンボルデータ更新監査手段とを備えることを特徴とする請求項１又は２記載のＣＡＤシステムシンボル図形台帳管理ツール。
【請求項４】
前記シンボル図形台帳保存手段が、保存したシンボル図形台帳を記録紙に出力できるようにシンボル図形台帳印刷手段を設けたことを特徴とする請求項１乃至３のいずれか１項記載のＣＡＤシステムシンボル図形台帳管理ツール。
【発明の詳細な説明】
【０００１】
【発明の属する技術分野】
本発明は、ＣＡＤシステム等において作成されたシンボル図形の管理をシンボル図形台帳に基づき行うＣＡＤシステムシンボル図形台帳管理ツールに係り、特に当該シンボル図形台帳が自動作成できるようにして利便性の高いＣＡＤシステムシンボル図形台帳管理ツールに関する。
【０００２】
【従来の技術】
今日、ＣＡＤシステムでは、予め種々のシンボル図形が用意されて、利便性向上が図られているが、実際の作業においては過不足するシンボル図形が発生する。
【０００３】
そこで、目的に応じて既存のシンボル図形の編集、加工等を行い、またシンボル図形を新規に作成している。
【０００４】
このような場合には、新たなシンボル図形の管理を効率的に、かつ、利用しやすいように管理することが重要となるので、シンボル図形台帳を作成してかかる要求に応えている。
【０００５】
【発明が解決しようとする課題】
しかしながら、かかるシンボル図形台帳の作成は、人間系の作業により行われているため当該シンボル図形台帳の作成に時間を要し、またＣＡＤシステムの継続運用に従い作成されるシンボル図形量が増大すると、その管理が非常に困難になり、またこれに伴い利便性が悪くなってしまうといった問題があった。
【０００６】
即ち、既存のシンボル図形を編集等した場合には、その更新履歴を正しく管理して利用しないと、同じシンボル図形と思っていても実際には異なったシンボル図形であったりすることが生じる。
【０００７】
また、新たなシンボル図形を作成した場合にも、そのことを他の利用者が容易に知ることができない場合には、重複したシンボル図形が作成されてしまうことが生じる。
【０００８】
このためシンボル図形台帳を作成し、利用者が所望するシンボル図形の有無や更新状況を確認できるようにしているが、シンボル図形は形状イメージや属性イメージのみならず、そのシンボルデータ名、更新日付、分類名、名称のデータや属性情報等により構成されるため、シンボル図形台帳の作成や更新に長時間を要してしまう。
【０００９】
そこで、本発明は、シンボル図形台帳を自動生成し、また自動更新できるようにして簡単、かつ、利便性を向上させたＣＡＤシステムシンボル図形台帳管理ツールを提供することを目的とする。
【００１０】
【課題を解決するための手段】
上記課題を解決するため、請求項１にかかる発明は、シンボル図形の形状イメージや属性イメージがシンボル図形情報として保存すると共に当該シンボル図形のシンボルデータ名、更新日付、分類名、名称等のデータや属性情報がシンボル属性情報として保存するシンボルデータ保存手段と、該シンボルデータ保存手段からシンボル図形情報を取込むシンボル図形情報取込手段と、シンボルデータ保存手段から、シンボル属性情報を取込むシンボル属性情報取込手段と、シンボル図形台帳枠を保存するシンボル図形台帳フォーマット保存手段と、該シンボル図形台帳フォーマット保存手段から当該シンボル図形台帳枠を取込み、該シンボル図形台帳枠の各欄にシンボル図形情報取込手段からのシンボル図形情報を貼付けると共に、シンボル属性情報取込手段からのシンボル属性情報を書込むことによりシンボル図形台帳を生成するシンボル図形台帳合成手段と、該シンボル図形台帳合成手段により生成されたシンボル図形台帳を保存するシンボル図形台帳保存手段と、を備え、形状イメージや属性イメージが画層を有すると共に、該画層に画層名が付与されて、シンボル図形情報取込手段によりシンボル図形情報を取込む際には、選択された画層名をキーとして該当するシンボル図形情報を検索して取込むことを特徴とする。上記態様によれば、シンボル図形台帳管理ツールによるシンボル図形台帳が自動生成できるので、シンボル図形台帳の作成時間が大幅に低減できるようになり、また、任意の画層名をキーにしてシンボル図形台帳の様々なシンボル図形情報が生成できるので、利便性が向上する。
【００１２】
請求項２にかかる発明は、新規格シンボル用の形状イメージと属性イメージの各画層から画層名を新規格シンボル用とした任意の画層名に設定して新規格シンボル図形情報として取込み、また旧規格シンボル用の形状イメージと属性イメージの各画層から画層名を旧規格シンボル用とした任意の画層名に設定して旧規格シンボル図形情報として取込むことで、新／旧規格シンボルデータ保存手段のシンボル図形情報を対比させたシンボル図形台帳を生成できるようにしたことを特徴とする。
【００１３】
請求項３にかかる発明は、シンボル図形のシンボルデータ名及びその更新番号をシンボルデータ更新情報として保存するシンボルデータ更新情報保存手段と、シンボル図形が更新された場合には、旧シンボル図形台帳を保存する旧シンボル図形台帳保存手段と、シンボル属性情報取込手段から出力されるシンボル属性情報のうちシンボルデータ名と更新番号とを取込で、当該シンボルデータ名を検索キーとしてシンボルデータ更新情報保存手段に保存されているシンボルデータ更新情報を検索し、該当するシンボルデータ名が検出された場合にはその更新番号とシンボル属性情報から取込んだ更新番号とを比較して、当該シンボルデータが更新されたか否かを判断し、更新されたと判断した場合にはシンボル図形台帳保存手段に保存されている該当するシンボル図形台帳を旧シンボル図形台帳保存手段に移動して保存させ、またシンボルデータ更新情報保存手段に更新されたシンボルデータ更新情報を保存することによりシンボル図形の更新を監査するシンボルデータ更新監査手段とを備えることを特徴とする。
【００１４】
請求項４にかかる発明は、シンボル図形台帳保存手段が、保存したシンボル図形台帳を記録紙に出力できるようにシンボル図形台帳印刷手段を設けたことを特徴とする。
【００１５】
【発明の実施の形態】
本発明の実施の形態を図を参照して説明する。
【００１６】
図１はＣＡＤシステムシンボル図形台帳管理ツールのブロック図を示している。図２に示すようにシンボル図形は、シンボル図形情報９とシンボル属性情報１０とにより構成されて、これらの情報をシンボル図形台帳枠に合成することによりシンボル図形台帳が生成される。
【００１７】
このシンボル図形情報は、形状イメージ７と属性イメージ８とから構成され、これら形状イメージ７や属性イメージ８はそれぞれ画層を有して、各画層には画層名が付与されている。
【００１８】
また、シンボル属性情報１０は、シンボルデータ名、更新日付、分類名、名称等のデータや属性情報により構成されている。
【００１９】
当該ＣＡＤシステムシンボル図形台帳管理ツールは、シンボル図形の形状イメージ７や属性イメージ８をシンボル図形情報９として保存すると共に当該シンボル図形のシンボルデータ名、更新日付、分類名、名称等のデータや属性情報がシンボル属性情報１０として保存するシンボルデータ保存手段１、該シンボルデータ保存手段１からシンボル図形情報９を取込むシンボル図形情報取込手段２、シンボルデータ保存手段１から、シンボル属性情報１０を取込むシンボル属性情報取込手段３、シンボル図形台帳枠が保存されたシンボル図形台帳フォーマット保存手段４から当該シンボル図形台帳枠を取込み、該シンボル図形台帳枠の各欄にシンボル図形情報取込手段２からのシンボル図形情報９を貼付けると共に、シンボル属性情報取込手段３からのシンボル属性情報１０を書込むことによりシンボル図形台帳を生成するシンボル図形台帳合成手段５、該シンボル図形台帳合成手段５により生成されたシンボル図形台帳を保存するシンボル図形台帳保存手段６等を備えている。
【００２０】
そして、図３に示すように、形状イメージ７や属性イメージ８の画層名を指定すると、当該画層名を検索キーにして該当する形状イメージ７や属性イメージ８を検索して、シンボル図形情報９が生成される。
【００２１】
図３では、画層名が「ＫＥＩＺＹＯ」の形状イメージ７と、画層名が「ＰＩＮ」及び「ＺＯＫＵ」の属性イメージ８とからなるシンボル図形情報９がある場合に、画層名が「ＫＥＩＺＹＯ」の形状イメージ７と、画層名が「ＺＯＫＵ」の属性イメージ８とが指定されて、これらを合成したシンボル図形情報１１が表示されている。
【００２２】
なお、この方法で図４に示すように旧ＪＩＳシンボル用又は新ＪＩＳシンボル用として設定した画層名をキーにして、旧ＪＩＳ用のシンボル図形情報９と新ＪＩＳ用のシンボル図形情報９とを生成することができる。
【００２３】
即ち、旧ＪＩＳ用の形状イメージ１２の画層名「ＮＥＷＪＩＳ」、新ＪＩＳ用の形状イメージ１３の画層名「ＯＬＤＪＩＳ」、そして画層名「ＰＩＮ」の属性イメージ８からなるシンボル図形９がある場合に、旧ＪＩＳ用の形状イメージ１２の画層名「ＮＥＷＪＩＳ」画層名「ＮＥＷＪＩＳ」の形状イメージ１２と画層名「ＰＩＮ」の属性イメージ８とを指定すると、新ＪＩＳ用のシンボル図形情報１４が生成される。
【００２４】
また、画層名「ＯＬＤＪＩＳ」の形状イメージ１３と画層名「ＰＩＮ」の属性イメージ８とを指定すると、旧ＪＩＳ用のシンボル図形情報１５が生成される。
【００２５】
これにより、新／旧ＪＩＳ用のシンボル図形情報１４とシンボル図形情報１５とを対比させたシンボル図形台帳が生成可能となり、利便性が向上する。
【００２６】
次に、シンボル図形台帳合成手段５は、このシンボル図形情報１１及びそのシンボル属性情報１０を取込と共にシンボル図形台帳フォーマット保存手段４からシンボル図形台帳枠を取込で、これらを合成して新たなシンボル図形情報を生成して出力する。
【００２７】
図５は、このようなシンボル図形情報９の取込んでシンボル図形台帳合成手段５に出力する手順を示したフローチャートである。先ず、形状イメージ７や属性イメージ８の画層名が指定されると（ステップＳ１）、シンボル図形情報取込手段２は、シンボルデータ保存手段１から当該画層名をキーとして該当する形状イメージ７や属性イメージ８を検索して取込み（ステップＳ２、ステップＳ３）、これらを新たなシンボル図形情報９としてシンボル図形台帳合成手段５に出力する（ステップＳ４）。
【００２８】
一方、このようなシンボル図形情報９のシンボル属性情報１０は、図６に示すような手順で読込まれてシンボル図形台帳合成手段５に出力される。
【００２９】
即ち、シンボルデータ保存手段１からシンボルデータ名、更新日付、分類名、名称等のデータが取込まれ（ステップＳ１１）、また属性情報が取込まれて（ステップＳ１２）、これらが新たなシンボル属性情報１０としてシンボル図形台帳合成手段５に出力される（ステップＳ１３）。
【００３０】
そして、シンボル図形台帳合成手段５では、これら新しいシンボル図形情報９とシンボル属性情報１０とが、シンボル図形台帳フォーマット保存手段４から取込まれた図７に示すようなシンボル図形台帳枠２０の各欄に合わせて書込まれる。
【００３１】
このシンボル図形台帳枠２０は、シンボルデータ名、更新日付、分類名、名称等のデータや属性情報のシンボル属性情報１０が書込まれる欄や、シンボル図形情報９が貼付けられるにより構成されている。
【００３２】
図８は、シンボル図形台帳合成手段５でシンボル図形台帳を作成する際の手順を示すフローチャートで、シンボル図形情報取込手段２からのシンボル図形情報９の取込（ステップＳ２１）、シンボル属性情報取込手段３からのシンボル属性情報１０の取込が順次行われる（ステップＳ２２）。
【００３３】
そして、シンボル図形情報９はシンボル図形台帳枠２０に貼付され（ステップＳ２３）、シンボル属性情報１０はシンボル図形台帳枠２０の各欄に合わせて書込まれてシンボル図形台帳が作成されて（ステップＳ２４）、当該シンボル図形台帳は、シンボル図形台帳保存手段６に保存される。
【００３４】
このようにして、コンピューターシステム等のＣＡＤシステムシンボル図形台帳管理ツールでシンボル図形台帳が自動生成され、保存されるので、人原型によりシンボル図形台帳の作成が不要になる。
【００３５】
また、画層名の設定により様々な組合わせのシンボル図形情報のシンボル図形台帳が生成できるので、例えば新／旧ＪＩＳ用のシンボル図形情報９を対比させたシンボル図形台帳を生成することも容易になり、利便性が向上する。
【００３６】
次に、本発明の第２の実施の形態を図を参照して説明する。なお、上述した構成と同一構成に関しては同一符号を用い説明を適宜省略する。
【００３７】
本実施の形態に係る発明は、図９に示すように、シンボルデータ更新監査手段２６等を設けてシンボルデータの更新を監査する機能を追設したＣＡＤシステムシンボル図形台帳管理ツールに関するものである。
【００３８】
即ち、図９に示す構成は、図１に示す構成に対して、シンボル図形のシンボルデータ名及びその更新番号をシンボルデータ更新情報として保存するシンボルデータ更新情報保存手段２７、シンボル図形が更新された場合には、旧シンボル図形台帳を保存する旧シンボル図形台帳保存手段２９、シンボル図形の更新を監視して、更新されたと判断した場合には図１１に示すような所定の処理を行うシンボルデータ更新監査手段２６等が追設されている。
【００３９】
なお、シンボルデータ更新情報保存手段２７に保存されているシンボルデータ更新情報は、例えば図１０に示すように、シンボルデータ名とその更新番号のデータを１レコードとしてシンボルデータの数分だけ記録する構成となっている。
【００４０】
そして、シンボルデータ更新監査手段２６は、図１１に示す手順に従ってシンボルデータの更新判断及びそれに伴う処理を行う。即ち、シンボル属性情報取込手段３３からシンボル属性情報１０のうちシンボルデータ名と最新の更新番号を取込む（ステップＳ１）。図１１では、この更新番号をＲｅｖ（ａ）として示している。
【００４１】
次に、シンボルデータ更新情報保存手段２７からシンボルデータ名をキーとして一致するシンボルデータ名のシンボルデータ更新情報を検索し、該当するシンボルデータ名の更新番号を取込む（ステップＳ３２）。図１１では、この更新番号をＲｅｖ（ｂ）として示している。
【００４２】
そして、該当するシンボルデータ名が無い場合には、新規なシンボルデータとしてシンボルデータ更新情報保存手段２７にシンボルデータ名及び更新番号Ｒｅｖ（ａ）を保存する（ステップＳ３３，ステップＳ３７）。
【００４３】
一方、該当するシンボルデータ名が検出された場合には、その更新番号Ｒｅｖ（ｂ）と更新番号Ｒｅｖ（ａ）とを比較してシンボルデータ更新の有無を判断する（ステップＳ３４）。
【００４４】
このとき、Ｒｅｖ（ａ）＝Ｒｅｖ（ｂ）の場合には、更新されていないと判断し、Ｒｅｖ（ａ）＜Ｒｅｖ（ｂ）の場合には、更新されていると判断する。
【００４５】
更新されている場合には、シンボル図形台帳保存手段６に保存されている、シンボル保存台帳を旧シンボル図形台帳保存手段２９に移動して保存させ、更新後の新しいシンボル保存台帳をシンボル図形台帳保存手段６に保存する（ステップＳ３５）。
【００４６】
その後、シンボルデータ更新情報保存手段２７に最新の更新番号Ｒｅｖ（ａ）のシンボルデータ更新情報を上書き保存し、シンボルデータ更新監査手順を終了する。
【００４７】
これにより、シンボル図形台帳の生成毎にシンボルデータの更新チェックを行って最新のシンボル図形台帳を自動生成して管理するので利便性が向上すると共に、旧いシンボル図形台帳を別途保存するため旧いＣＡＤの編集等も容易に行うことができるようになる。
【００４８】
次に、本発明の第３の実施の形態を図を参照して説明する。なお、上述した構成と同一構成に関しては同一符号を用い説明を適宜省略する。
【００４９】
本実施の形態は、図１２に示すように、プリンター等のシンボル図形台帳印刷手段３５を設けて、ＣＡＤシステムシンボル図形台帳管理ツールで生成したシンボル図形台帳の出力が行えるようにしたものである。
【００５０】
これにより、シンボル図形台帳は、電子データのみならず紙面でも保存管理できるようになり、紙面による閲覧が可能になり利便性が向上すると共に、無用な記録出力を行わなくて済むので経済性が向上する。
【００５１】
【発明の効果】
以上説明したように、本発明によれば、シンボル図形台帳管理ツールによるシンボル図形台帳が自動生成できるので、シンボル図形台帳の作成時間が大幅に低減できるようになり利便性が向上する。
【００５２】
また、任意の画層名をキーにしてシンボル図形台帳の様々なシンボル図形情報が生成できるので、例えば新／旧ＪＩＳ用のシンボル図形情報を対比させたシンボル図形台帳等の作成が容易に行え利便性が向上する
【図面の簡単な説明】
【図１】第１の実施の形態の説明に適用されるＣＡＤシステムシンボル図形台帳管理ツールの概略構成図である。
【図２】シンボルデータの構成を示す図である。
【図３】画層名の設定によるシンボル図形情報の生成を説明する図である。
【図４】新／旧ＪＩＳ用のシンボル図形情報の生成を説明する図である。
【図５】シンボル図形情報の生成手順を示すフローチャートである。
【図６】シンボル属性情報の生成手順を示すフローチャートである。
【図７】シンボル図形台帳枠の構成を例示する図である。
【図８】シンボル図形台帳合成手段の処理手順を示すフローチャートである。
【図９】第２の実施の形態の説明に適用されるＣＡＤシステムシンボル図形台帳管理ツールの概略構成図である。
【図１０】シンボルデータ更新情報のデータ構成を示す図である。
【図１１】シンボルデータ更新監視手段の処理手順を示すフローチャートである。
【図１２】第３の実施の形態の説明に適用されるＣＡＤシステムシンボル図形台帳管理ツールの概略構成図である。
【符号の説明】
１  シンボルデータ保存手段
２  シンボル図形情報取込手段
３  シンボル属性情報取込手段
４  シンボル図形台帳フォーマット保存手段
５  シンボル図形台帳合成手段
６  シンボル図形台帳保存手段
２６  シンボルデータ更新監査手段
２７  シンボルデータ更新情報保存手段
２９  旧シンボル図形台帳保存手段
３５  シンボル図形台帳印刷手段
【図１】
0004010873.tif 000002
【図２】
0004010873.tif 000003
【図３】
0004010873.tif 000004
【図４】
0004010873.tif 000005
【図５】
0004010873.tif 000006
【図６】
0004010873.tif 000007
【図７】
0004010873.tif 000008
【図８】
0004010873.tif 000009
【図９】
0004010873.tif 000010
【図１０】
0004010873.tif 000011
【図１１】
0004010873.tif 000012
【図１２】
0004010873.tif 000013